(57)【特許請求の範囲】
【請求項１】
ブロック内に誤挿入防止ピン部材が前記ブロックより突き出し可能に設けてあり、前記誤挿入防止ピン部材が前記ブロックより突き出すことによって、立体形状が変化する構成であり、後記の装着脱ユニットの種類に応じて立体形状を後記の誤挿入防止開口の形状に対応した形状に変化する構成の誤挿入防止ブロック装置が設けてある装着脱ユニットと、
該装着脱ユニットが挿入されるベイに関連して、前記誤挿入防止ブロック装置が挿入される誤挿入防止開口と、前記誤挿入防止ピン部材が前記ブロックより突き出すように前記誤挿入防止ブロック装置と係合して前記誤挿入防止ブロック装置の立体形状を変化させる形状変化手段とを有する装置本体とよりなり、
上記装着脱ユニットが上記装置本体のベイに挿入されて装着されたときに、上記誤挿入防止ブロック装置は、上記誤挿入防止開口を通った後に、その立体形状を上記形状変化手段と係合することによって該誤挿入防止開口に対応した形状に変化させられ、引き抜いた上記装着脱ユニットを上記装置本体の別のベイに挿入しようとしても前記立体形状が変化させられた誤挿入防止ブロック装置が前記別のベイに関連する誤挿入防止開口の縁に当たって装着を制限される構成とした装着脱ユニット誤挿入防止装置。
【発明の詳細な説明】
【０００１】
【発明の属する技術分野】
本発明は誤挿入防止装置に係り、特に、複数のベイを備えた情報処理装置本体に挿入される装着脱ユニットに備えられる誤挿入防止ブロック装置を備えた誤挿入防止装置に関する。
【０００２】
【従来の技術】
図１は従来のシステムとデータとをバックアップする二重化バックアップファイルRAID(Redundant Array of Inexpensive Disk)システムの情報処理装置１０を示す。Ｘ１−Ｘ２は幅方向、Ｙ１−Ｙ２は奥行き方向、Ｚ１−Ｚ２は高さ方向である。１１は装置本体であり、上から順に、システムハードディスクユニット用ベイ２０、データハードディスクユニット用ベイ３０、予備システムハードディスクユニット用ベイ４０、予備データハードディスクユニット用ベイ５０とを有する。装置本体１１内には、RAIDコントロールユニット、電源ユニット及び空冷ファン等も組み込まれている。ベイ２０にはシステムハードディスクユニット６０が、ベイ３０にはデータハードディスクユニット７０が、ベイ４０には予備システムハードディスクユニット８０が、ベイ５０には予備データハードディスクユニット９０が、夫々挿入されて装着されている。予備システムハードディスクユニット８０がシステムハードディスクユニット６０をバックアップし、予備データハードディスクユニット９０がデータハードディスクユニット７０をバックアップする。
【０００３】
各ディスクユニット６０，７０，８０，９０は同じサイズである。ベイ２０、３０、４０，５０も同じサイズである。
【０００４】
システムハードディスクユニット６０は、システムが記録されたハードディスク６１を有する構成であり、直方体６２ａの上面に凸部６２ｂを有する第１の形状の誤挿入防止ブロック６２が取り付けてある。装置本体１１にはベイ２０の隣りに、誤挿入防止開口２１が形成してある。誤挿入防止開口２１は、誤挿入防止ブロック６２をＺ−Ｘ面へ投影したときの輪郭の形状である。
【０００５】
データハードディスクユニット７０は、データが記録されたハードディスク７１を有する構成であり、直方体７２ａの下面に凸部７２ｂを有する第２の形状の誤挿入防止ブロック７２が取り付けてある。装置本体１１にはベイ３０の隣りに、誤挿入防止開口３１が形成してある。誤挿入防止開口３１は、誤挿入防止ブロック７２をＺ−Ｘ面へ投影したときの輪郭の形状である。
【０００６】
なお、システムハードディスクユニット６０は、組立てた後の最初の状態では、後述する予備システムハードディスクユニット８０と同じであり、ベイ２０に装着されてハードディスクにシステムが記録されてシステムハードディスクユニットとなる。データハードディスクユニット７０も、組立てた後の最初の状態では、後述する予備データハードディスクユニット９０と同じであり、ベイ３０に装着されてハードディスクにデータが記録されてデータハードディスクユニットとなる。
【０００７】
予備システムハードディスクユニット８０は、システムハードディスクユニット６０と同じ内容が記録されたハードディスク８１を有し、第１の形状の誤挿入防止ブロック６２が取り付けてある。装置本体１１にはベイ４０の隣りに、上記の誤挿入防止開口２１と同じ形状の誤挿入防止開口４１が形成してある。
【０００８】
予備データハードディスクユニット９０は、データハードディスクユニット７０と同じ内容が記録されたハードディスク９１を有し、第２の形状の誤挿入防止ブロック７２が取り付けてある。装置本体１１にはベイ４０の隣りに、上記の誤挿入防止開口３１と同じ形状の誤挿入防止開口５１が形成してある。
【０００９】
誤挿入防止ブロック７２は誤挿入防止開口２１には入らないため、データハードディスクユニット７０がベイ２０内に誤挿入できないようになっている。また、誤挿入防止ブロック６２は誤挿入防止開口３１には入らないため、システムハードディスクユニット６０がベイ３０内に誤挿入できないようになっている。また、保守作業が完了しその後に装着するときに、誤った装着がなされないようになっている。これによって、システム破壊及びデータ破壊が防止される。
【００１０】
また、例えばシステムハードディスクユニット６０が壊れた場合には、システムハードディスクユニット６０を引き抜き、この代わりに、新しいハードディスクユニット６０をベイ２０内に挿入する。これによって、ハードディスク８１のシステムが新しいハードディスク６１にコピーされ、ミラーリングセットが再構築されて、情報処理装置１０は正常に動作し続ける。
【００１１】
また、例えばデータハードディスクユニット７０が壊れた場合には、データハードディスクユニット７０を引き抜き、この代わりに、新しいハードディスクユニット７０をベイ３０内に挿入する。これによって、ハードディスク９１のデータが新しいハードディスク７１にコピーされ、ミラーリングセットが再構築されて、情報処理装置１０は正常に動作し続ける。
【００１２】
【発明が解決しようとする課題】
上記の構成の情報処理装置１０を製造する立場からみると、誤挿入防止ブロックとして二種類のものを製造することが必要であり、且つ、ハードディスクユニットとして同じく二種類を製造することが必要となり、製造が面倒となっていた。
【００１３】
また、情報処理装置１０を保守点検する立場からみると、ハードディスクユニットとして同じく二種類を用意しておく必要があり、管理が面倒であった。
【００１４】
また、顧客からの電話によって呼び出される場合に、壊れたハードディスクユニットの確認を間違うと、持参した予備データハードディスクユニットを装着することが出来なくて、別の種類の予備データハードディスクユニットを取り寄せることが必要となり、情報処理装置１０の復旧に時間がかかってしまうという問題もあった。
【００１５】
そこで、本発明は、上記課題を解決した誤挿入防止ブロック装置を備えた誤挿入防止装置を提供することを目的とする。
【００１６】
【課題を解決するための手段】
請求項１の発明は、ブロック内に誤挿入防止ピン部材が前記ブロックより突き出し可能に設けてあり、前記誤挿入防止ピン部材が前記ブロックより突き出すことによって、立体形状が変化する構成であり、後記の装着脱ユニットの種類に応じて立体形状を後記の誤挿入防止開口の形状に対応した形状に変化する構成の誤挿入防止ブロック装置が設けてある装着脱ユニットと、
該装着脱ユニットが挿入されるベイに関連して、前記誤挿入防止ブロック装置が挿入される誤挿入防止開口と、前記誤挿入防止ピン部材が前記ブロックより突き出すように前記誤挿入防止ブロック装置と係合して前記誤挿入防止ブロック装置の立体形状を変化させる形状変化手段とを有する装置本体とよりなり、
上記装着脱ユニットが上記装置本体のベイに挿入されて装着されたときに、上記誤挿入防止ブロック装置は、上記誤挿入防止開口を通った後に、その立体形状を上記形状変化手段と係合することによって該誤挿入防止開口に対応した形状に変化させられ、引き抜いた上記装着脱ユニットを上記装置本体の別のベイに挿入しようとしても前記立体形状が変化させられた誤挿入防止ブロック装置が前記別のベイに関連する誤挿入防止開口の縁に当たって装着を制限される構成としたものである。
【００１７】
立体形状が相違する複数の種類の誤挿入防止ブロックを用意する必要が不要となり、製造及び管理が簡単となる。
【００１９】
誤挿入防止ピン部材がブロックから突き出すことによって立体形状を変える構成であるため、立体形状の変化が確実になされる。
【００２１】
誤挿入防止ブロックの形状の変化は、装着脱ユニットが装置本体のベイに挿入されて装着されたときになされるため、装着前の装着脱ユニットの共通化が図られ、装着脱ユニットの製造及び管理が簡単となり、装置本体に複数の装着脱ユニットが装着された装置の保守管理を容易に行うことが可能となる。
【００２２】
【発明の実施の形態】
先ず、説明の便宜上、本発明の一実施例になる誤挿入防止ブロック装置２００について、図２（Ａ）乃至（Ｄ）、図３、図４、図５、図６を参照して説明する。
【００２３】
誤挿入防止ブロック装置２００は、図１中の誤挿入防止ブロック６２，７２等に対応するものであり、立体形状を変化する機能を有している。図２（Ａ）乃至（Ｄ）、図３、図４は、変化前の基本の立体形状であり、直方体である。図５、図６は変化後の立体形状であり、直方体からピンが突き出した形状である。Ｘ１−Ｘ２は幅方向、Ｙ１−Ｙ２は奥行き方向、Ｚ１−Ｚ２は高さ方向である。
【００２４】
図２（Ａ）乃至（Ｄ）、図３、図４に示すように、誤挿入防止ブロック装置２００は、直方体であるブロック２０１の内部に、Ｚ１方向に突き出す誤挿入防止ピン２０２と、Ｚ２方向に突き出す誤挿入防止ピン２０３と、誤挿入防止ピン２０２に関連するリンク２１０，２１１、節動用のトーションコイルばね２１２及び圧縮コイルばね２１３と、誤挿入防止ピン２０３に関連するリンク２２０，２２１、節動用のトーションコイルばね２２２及び圧縮コイルばね２２３とを有する構成である。誤挿入防止ピン２０２はＸ２側に、誤挿入防止ピン２０３はＸ１側に配置してある。
【００２５】
図３に示すように、誤挿入防止ピン２０２は、リンク２１０，２１１によって支持されている。リンク２１０とリンク２１１とは、連結部２１４によって連結してある。リンク２１０の他端は誤挿入防止ピン２０２に連結してあり、リンク２１１の他端はブロック２０１に連結してある。リンク２１０，２１１は、通常は、図３に示すように、リンク２１０の他端とリンク２１１の他端とを通る中立線２１８よりもＹ１側に位置してＹ１方向に屈曲しており、トーションコイルばね２１２によって、その状態に保たれている。誤挿入防止ピン２０２は凹部２１５内に引き込まれて納まっており、ブロック２０１の上面２０１ａから突き出してはいない。ブロック２０１には、リンクの連結部２１４に対向する部位に、Ｙ１−Ｙ２方向のトンネル２１６、２１７が形成してある。トンネル２１６内に、圧縮コイルばね２１３が納まっている。トンネル２１６の端は蓋されている。
【００２６】
図４に示すように、誤挿入防止ピン２０３は、上記の誤挿入防止ピン２０２と同様に、リンク２２０，２２１によって支持されている。リンク２２０とリンク２２１とは、連結部２２４によって連結してある。リンク２２０の他端は誤挿入防止ピン２０３に連結してあり、リンク２２１の他端はブロック２０１に連結してある。リンク２２０，２２１は、通常は、図４に示すように、リンク２２０の他端とリンク２２１の他端とを通る中立線２２８よりもＹ１側に位置してＹ１方向に屈曲しており、トーションコイルばね２２２によって、その状態に保たれている。誤挿入防止ピン２０３は凹部２２５内に引き込まれて納まっている。ブロック２０１には、リンクの連結部２２４に対向する部位に、Ｙ１−Ｙ２方向のトンネル２２６、２２７が形成してある。トンネル２２６内に、圧縮コイルばね２２３が納まっている。トンネル２２６の端は蓋されている。
【００２７】
図７（Ａ）は、上記の誤挿入防止ブロック装置２００をＹ２側からＺ−Ｘ面へ投影したときの画像３００を示す。画像３００は、長方形である。
【００２８】
上記の誤挿入防止ブロック装置２００は、以下に説明するように形状を変える。
【００２９】
ピン部材２３０がトンネル２１６に挿入されると、図５（Ａ）、（Ｂ）に示すように、圧縮コイルばね２１３が圧縮されて連結部２１４をＹ２方向に押して、連結部２１４は中立線２１８を越えてＹ２側に少し移動され、リンク２１０，２１１がＹ２方向に屈曲されてストッパ２１９に当たった状態となり、誤挿入防止ピン２０２はブロック２０１の上面２０１ａから突き出す。ピン部材２３０が抜かれた後も、図５（Ｃ）、（Ｄ）に示すように、トーションコイルばね２１２によって、リンク２１０，２１１は上記の状態に保持され、誤挿入防止ピン２０２はブロック２０１の上面２０１ａから突き出した状態に保たれる。ピン部材２３０をトンネル２１６に再度挿入しても状態は変化しない。誤挿入防止ピン２０２がブロック２０１の上面２０１ａから突き出すことによって、誤挿入防止ブロック装置２００は立体形状を変化して、誤挿入防止ブロック装置２００Ａとなる。また、立体形状の変化は誤挿入防止ピン２０２がブロック２０１の上面２０１ａから突き出すことによってなされるため、立体形状の変化は確実に且つ目立つ程度になされる。
【００３０】
この誤挿入防止ブロック装置２００ＡをＹ２側からＺ−Ｘ面へ投影したときの画像は、図７（Ｂ）に示すようになる。即ち、画像３０１は、長方形３００とＺ１方向に突き出した小さい長方形３０１とを組み合わせたＬ字形状である。
【００３１】
なお、図５（Ｃ）、（Ｄ）に示す状態の誤挿入防止ブロック装置２００のトンネル２２７にリセットピン２４０を挿入すると、連結部２１４がＹ１方向に押され、中立線２１８を越え、リンク２１０，２１１は図３に示す元の状態とされ、誤挿入防止ピン２０２は凹部２１５内に引き込まれる。
【００３２】
ピン部材２３１が別のトンネル２２６に挿入されると、図６（Ａ）、（Ｂ）に示すように、圧縮コイルばね２２３が圧縮されて連結部２２４をＹ２方向に押して、連結部２２４は中立線２２８を越えてＹ２側に少し移動され、リンク２２０，２２１がＹ２方向に屈曲されてストッパ２２９に当たった状態となり、誤挿入防止ピン２０２はブロック２０１の下面２０１ｂから突き出す。ピン部材２３１が抜かれた後も、図６（Ｃ）、（Ｄ）に示すように、トーションコイルばね２２２によって、リンク２２０，２２１は上記の状態に保持され、誤挿入防止ピン２０３はブロック２０１の下面２０１ｂから突き出した状態に保たれる。ピン部材２３１をトンネル２２６に再度挿入しても状態は変化しない。誤挿入防止ピン２０３がブロック２０１の下面２０１ｂから突き出すことによって、誤挿入防止ブロック装置２００は立体形状を変化して、誤挿入防止ブロック装置２００Ｂとなる。また、立体形状の変化は誤挿入防止ピン２０３がブロック２０１の下面２０１ｂから突き出すことによってなされるため、立体形状の変化は確実に且つ目立つ程度になされる。
【００３３】
この誤挿入防止ブロック装置２００ＢをＹ２側からＺ−Ｘ面へ投影したときの画像は、図７（Ｃ）に示すようになる。即ち、画像３０３は、長方形３００とＺ２方向に突き出した小さい長方形３０４とを組み合わせた逆Ｌ字形状である。
【００３４】
なお、図６（Ｃ）、（Ｄ）に示す状態の誤挿入防止ブロック装置２００のトンネル２２７にリセットピン２４１を挿入すると、連結部２２４がＹ１方向に押され、中立線２２８を越え、リンク２２０，２２１は図４に示す元の状態とされ、誤挿入防止ピン２０３は凹部２２５内に引き込まれる。
【００３５】
次に、上記の誤挿入防止ブロック装置２００を利用した誤挿入防止装置が適用してある情報処理装置について説明する。
【００３６】
図８に示す情報処理装置１１０はシステムとデータとをバックアップする二重化バックアップファイルRAIDシステムを有する。Ｘ１−Ｘ２は幅方向、Ｙ１−Ｙ２は奥行き方向、Ｚ１−Ｚ２は高さ方向であり、図２中のＸ１−Ｘ２、Ｙ１−Ｙ２、Ｚ１−Ｚ２と同じ方向である。
【００３７】
先ず、装置本体について説明する。
【００３８】
図９及び図８に示すように、１１１は装置本体であり、上から順に、システムハードディスクユニット用ベイ１２０、データハードディスクユニット用ベイ１３０、予備システムハードディスクユニット用ベイ１４０、予備データハードディスクユニット用ベイ１５０とを有する。装置本体１１内には、RAIDコントロールユニット、電源ユニット及び空冷ファン等も組み込まれている。
【００３９】
ベイ１２０のＸ１側の隣りに、誤挿入防止開口１２１が形成してある。誤挿入防止開口１２１は、図７（Ｂ）に示す画像３０１に対応する形状であり、長方形の基本開口部１６０に切欠部１６１が付加された形状である。切欠部１６１は基本開口部１６０のうちＸ２側にＺ１方向に切り込んで形成してある。
【００４０】
誤挿入防止開口１２１の後ろ側には、形状変化手段としてのピン構造部１７０が設けてある。ピン構造部１７０は、図１０に併せて示すように、固定板１７１にピン１７２が植わってＹ２方向に突き出ている構成である。ピン１７２は、装置本体１１１の正面側から見て、基本開口部１６０のうちＸ２側に位置している。
【００４１】
ベイ１３０のＸ１側の隣りに、誤挿入防止開口１３１が形成してある。誤挿入防止開口１３１は、図７（Ｃ）に示す画像３０３に対応する形状であり、長方形の基本開口部１６０に切欠部１６２が付加された形状である。切欠部１６２は基本開口部１６０のうちＸ１側にＺ２方向に切り込んで形成してある。
【００４２】
誤挿入防止開口１３１の後ろ側には、形状変化手段としてのピン構造部１８０が設けてある。ピン構造部１８０は、図１０に併せて示すように、固定板１８１にピン１８２が植わってＹ２方向に突き出ている構成である。ピン１８２は、装置本体１１１の正面側から見て、基本開口部１６０のうちＸ１側に位置している。
【００４３】
ベイ１４０のＸ１側の隣りに、誤挿入防止開口１４１が形成してある。誤挿入防止開口１４１は、図７（Ａ）に示す画像３００に対応する形状であり、長方形の基本開口部１６０よりなる形状である。誤挿入防止開口１４１の後ろ側には、ピン構造部は設けられていない。
【００４４】
ベイ１５０のＸ１側の隣りに、誤挿入防止開口１５１が形成してある。誤挿入防止開口１５１は、上記の誤挿入防止開口１４１と同じく、図７（Ａ）に示す画像３００に対応する形状であり、長方形の基本開口部１６０よりなる形状である。誤挿入防止開口１５１の後ろ側には、ピン構造部は設けられていない。
【００４５】
次に、情報処理装置１１０について、その製造の手順に沿って説明する。
【００４６】
図１１は製造の最初の段階を示す。情報処理装置１１０を製造するには、装着脱ユニットである４台のハードディスクユニット２５０−１〜２５０−４を用意する。ハードディスクユニット２５０−１は、未記録のハードディスク２５１−１を有し、フロントベゼル２５２−１のＸ１側に前記の誤挿入防止ブロック装置２００−１を有し、Ｙ１側にコネクタ２５３−１を有し、装置本体１１１のベイ１２０等に装着脱可能である構成である。他のハードディスクユニット２５０−２〜２５０−４も、ハードディスクユニット２５０−１と同じ構成である。
【００４７】
情報処理装置１１０は、ハードディスクユニット２５０−１〜２５０−４を任意のベイ１２０、１３０，１４０，１５０に挿入して装着し、装置を起動させ、ベイ１２０に装着されたハードディスクユニット２５０−１の未記録のハードディスク２５１−１にシステムを書き込み、ベイ１３０に装着されたハードディスクユニット２５０−２の未記録のハードディスク２５１−２にデータを書き込むことによって完成する。このときハードディスク２５１−３にはハードディスク２５１−１と同じ内容が記録されており、ハードディスク２５１−４にはハードディスク２５１−２と同じ内容が記録されている。図８は完成した情報処理装置１１０を示す。
【００４８】
ハードディスクユニット２５０−１については、未記録のハードディスク２５１−１がシステムが記録されたハードディスク２６１となり、誤挿入防止ブロック装置２００−１は、図１２（Ａ），（Ｂ）に示すように、ピン１７２がトンネル２１６内に相対的に挿入されて、リンクが図５（Ａ）、（Ｂ）に示すように動作され、誤挿入防止ピン２０２がＺ１方向に突き出た状態の誤挿入防止ブロック装置２００Ａとなって、ハードディスクユニット２５０−１は、システムハードディスクユニット２６０となる。
【００４９】
ハードディスクユニット２５０−２については、未記録のハードディスク２５１−２がデータが記録されたハードディスク２７１となり、誤挿入防止ブロック装置２００−２は、図１３（Ａ），（Ｂ）に示すように、ピン１８２がトンネル２２６内に相対的に挿入されて、リンクが図６（Ａ）、（Ｂ）に示すように動作され、誤挿入防止誤挿入防止ピン２０３がＺ２方向に突き出た状態の誤挿入防止ブロック装置２００Ｂとなって、ハードディスクユニット２５０−２は、データハードディスクユニット２７０となる。
【００５０】
ハードディスクユニット２５０−３及び２５０−４については、ハードディスク２５１−３、２５１−４は夫々ハードディスク２５１−１、２５１−２のミラーリングディスクと同じ内容が記録されており、誤挿入防止ブロック装置２００−３、２００−４は、図２に示す元のままであり、予備のハードディスクユニット２８０，２９０となる。
【００５１】
次に、情報処理装置１１０の保守について説明する。
【００５２】
図８の情報処理装置１１０において、システムハードディスクユニット２６０及びデータハードディスクユニット２７０を引き抜いて、適宜調整等を行って、再度装着する場合について説明する。
【００５３】
図１４は図８の情報処理装置１１０において、システムハードディスクユニット２６０、データハードディスクユニット２７０、及び予備のハードディスクユニット２８０，２９０を引き抜いた状態を示す。
【００５４】
ここで、誤挿入防止ブロック装置２００Ａは誤挿入防止開口１２１に対応する形状であり、誤挿入防止ブロック装置２００Ｂは誤挿入防止開口１３１に対応する形状である。よって、誤挿入防止ブロック装置２００Ａが誤挿入防止開口１２１を通り抜けて、システムハードディスクユニット２６０が引き抜かれ、誤挿入防止ブロック装置２００Ｂが誤挿入防止開口１３１を通り抜けて、データハードディスクユニット２７０が引き抜かれる。
【００５５】
システムハードディスクユニット２６０を引き抜いた状態で、誤挿入防止ブロック装置２００Ａは、図１２（Ｃ）及び図５（Ｃ）、（Ｄ）に示す状態となり、誤挿入防止ブロック装置２００Ａとなる。誤挿入防止ピン２０２は依然としてＺ１方向に突き出た状態にある。
【００５６】
データハードディスクユニット２７０を引き抜いた状態で、誤挿入防止ブロック装置２００Ｂは、図１３（Ｃ）及び図６（Ｃ）、（Ｄ）に示す状態となり、誤挿入防止ブロック装置２００Ｂとなる。誤挿入防止誤挿入防止ピン２０３は依然としてＺ２方向に突き出た状態にある。
【００５７】
よって、引き抜いて適宜調整等を行ったシステムハードディスクユニット２６０を誤ってベイ１３０に挿入しようとしても、誤挿入防止ブロック装置２００Ａの誤挿入防止ピン２０２が誤挿入防止開口１３１の縁に当たって、挿入操作が制限される。同じく、引き抜いて適宜調整等を行ったデータハードディスクユニット２７０を誤ってベイ１２０に挿入しようとしても、誤挿入防止ブロック装置２００Ｂの誤挿入防止誤挿入防止ピン２０３が誤挿入防止開口１２１の縁に当たって、挿入操作が制限される。よって、引き抜いて適宜調整等を行ったシステムハードディスクユニット２６０及びデータハードディスクユニット２７０の誤装着が防止される。
【００５８】
また、例えばシステムハードディスクユニット２６０が壊れた場合には、システムハードディスクユニット２６０を引き抜き、この代わりに、新しいハードディスクユニット２６０をベイ１２０内に挿入する。これによって、未記録の新しいハードディスク２５１−１にシステムが入っているハードディスク２５１−３の内容がコピーされ、ミラーリングセットが再構築されて、情報処理装置１１０は正常に動作し続ける。誤挿入防止ブロック装置２００は、誤挿入防止ピン２０２が突き出した誤挿入防止ブロック装置２００Ａとなり、これから以後は、新しいシステムハードディスクユニットはベイ１２０にだけ挿入され、ベイ１２０以外への誤挿入は制限される。
【００５９】
また、例えばデータハードディスクユニット２７０が壊れた場合には、データハードディスクユニット２７０を引き抜き、この代わりに、新しいディスクユニット２７０をベイ１３０内に挿入する。これによって、未記録の新しいハードディスク２５１−１にハードディスク２５１−４の内容がコピーされ、ミラーリングセットが再構築されて、情報処理装置１１０は正常に動作し続ける。誤挿入防止ブロック装置２００は、誤挿入防止誤挿入防止ピン２０３が突き出した誤挿入防止ブロック装置２００Ｂとなり、これから以後は、新しいデータハードディスクユニットはベイ１３０にだけ挿入され、ベイ１３０以外への誤挿入は制限される。
【００６０】
上記の構成の情報処理装置１１０を製造する立場からみると、誤挿入防止ブロックとしては一種類のものを製造すれば足り、従来のように二種類を製造する場合に比べて、製造の管理がし易い。また、ハードディスクユニットも一種類のものを製造すれば足り、従来のように二種類を製造する場合に比べて、製造の管理がし易い。
【００６１】
また、情報処理装置１１０の保守を行うサービス部門についてみると、誤挿入防止ブロック装置２００を備えた予備ハードディスクユニットだけを準備しておけば良く、準備しておく予備ハードディスクユニットは一種類で足り、複数種類の予備ハードディスクユニットを準備することが必要であった従来に比べて、管理が簡単である。
【００６２】
また、顧客からの電話によって呼び出される場合に、壊れたハードディスクユニットの種類の如何に拘わらず、準備してある予備ハードディスクユニットを持参すれば、持参した予備ハードディスクユニットは必ず壊れたハードディスクユニットのベイに装着されるため、持参した予備ハードディスクユニットを間違えることは起こりえず、また、壊れたハードディスクユニットの確認をする必要も無くなり、故障した情報処理装置１１０の復旧を短い時間で行うことが出来る。
【００６３】
【発明の効果】
以上説明したように、請求項１の発明によれば、誤挿入防止ピン部材がブロックから突き出すことによって立体形状を変化する構成としたものであるため、立体形状の変化が大きく且つ確実になされるように出来る。また、誤挿入防止ブロックの形状の変化は、装着脱ユニットが装置本体のベイに挿入されて装着されたときになされるため、装着前の装着脱ユニットの共通化が図られ、装着脱ユニットの製造及び管理が簡単となり、装置本体に複数の装着脱ユニットが装着された装置の保守管理を容易に行うことが出来る。
【図面の簡単な説明】
【図１】従来の情報処理装置を示す図である。
【図２】本発明の一実施例になる誤挿入防止ブロック装置を示す斜視図である。
【図３】図２（Ａ）中、III-III線を含む垂直面で断面した図である。
【図４】図２（Ａ）中、IV-IV線を含む垂直面で断面した図である。
【図５】誤挿入防止ブロック装置の形状変化動作を示す図である。
【図６】誤挿入防止ブロック装置の別の形状変化動作を示す図である。
【図７】誤挿入防止ブロック装置の投影画像を示す図である。
【図８】本発明の一実施例になる誤挿入防止装置が適用された情報処理装置を示す図である。
【図９】図８中、装置本体の正面図である。
【図１０】図９中のピン構造部を示す図である。
【図１１】図８の情報処理装置の製造の最初の段階を示す図である。
【図１２】ハードディスクユニットを装着したときに誤挿入防止ブロック装置の形状が変化することを説明する図である。
【図１３】ハードディスクユニットを装着したときに誤挿入防止ブロック装置の形状が別の形状に変化することを説明する図である。
【図１４】図８の情報処理装置の保守を説明する図である。
【符号の説明】
１１０  情報処理装置
１１１  装置本体
１２０，１３０，１４０，１５０  ベイ
１２１，１３１，１４１，１５１  誤挿入防止開口
１７０，１８０  ピン構造部
１７１，１８１  固定板
１７２，１８２  ピン
２００  誤挿入防止ブロック装置
２００Ａ，２００Ｂ  形状が変化した誤挿入防止ブロック装置
２０１  直方体のブロック
２０２、２０３  誤挿入防止ピン
２１０，２１１，２２０，２２１  リンク
２１２，２２２  トーションコイルばね
２１３，２２３２  圧縮コイルばね
２１５，２２５  凹部
【図１】
0004299993.tif 000002
【図２】
0004299993.tif 000003
【図３】
0004299993.tif 000004
【図４】
0004299993.tif 000005
【図５】
0004299993.tif 000006
【図６】
0004299993.tif 000007
【図７】
0004299993.tif 000008
【図８】
0004299993.tif 000009
【図９】
0004299993.tif 000010
【図１０】
0004299993.tif 000011
【図１１】
0004299993.tif 000012
【図１２】
0004299993.tif 000013
【図１３】
0004299993.tif 000014
【図１４】
0004299993.tif 000015